(57)【要約】　　　（修正有）【課題】使用に便利な疑似餌箱を提供する。【解決手段】疑似餌箱は、放置箱２、上蓋１２及び位置決めソフトパッド３を具え、放置箱がプラスチック一体射出成形で形成され、放置箱内に均等に複数の収容凹溝と係合溝３１が配設され、疑似餌の放置に供され、整然と疑似餌のフックを位置決めでき、収納取り出しに便利で実用性が高められている。【選択図】図２
0003098799.tif 000002
【実用新案登録請求の範囲】
【請求項１】
疑似餌箱において、該疑似餌箱は、放置箱２、位置決めソフトパッド３及び上蓋４で組成され、
該放置箱２は、プラスチック材料を一体射出成形してなり、長方形の扁平な箱状を呈し、該放置箱２の上縁及び中央に、横向きに収容溝２１が設けられ、収容溝２１の下縁にストッパ板２２があり、該ストッパ板２２に均等に複数の位置決め溝２３が配設され、該放置箱２内にあって、複数の下向きに凹んだ収容凹溝２４が均等に配設され、該収容凹溝２４の一端は円弧状を呈し、且つ該収容凹溝２４の中央に縦向きに、位置決め溝２３に対応するように下向きに凹んだ位置決め溝２５が設けられ、該位置決め溝２５の末端に別に下向きに凹んで半円形を呈する凹溝２７が設けられ、さらに該収容凹溝２４の二側にそれぞれ凸縁２６が設けられ、
該位置決めソフトパッド３は、長条状を呈し、上縁に波形の円弧設計が設けられ、二つの円弧の中央に係合溝３１が設けられ、且つ該係合溝３１が前述の放置箱２の位置決め溝２３に対応するよう配置され、該位置決めソフトパッド３が放置箱２の収容溝２１内に結合固定され、
該上蓋４は長方形を呈し、放置箱２の上縁を被覆するよう結合され、こうして疑似餌箱が形成されたことを特徴とする、疑似餌箱。
【考案の詳細な説明】
【０００１】
【考案の属する技術分野】
本考案は一種の疑似餌箱に係り、特に放置箱がプラスチック一体射出成形で形成され、放置箱内に均等に複数の収容凹溝と係合溝が配設され、疑似餌の放置に供され、整然と疑似餌のフックを位置決めでき、収納取り出しに便利で実用性が高められた疑似餌箱に関する。
【０００２】
【従来の技術】
一般に見かける、釣り糸、釣り針、浮き、おもり、疑似餌等の釣り具を収容する釣り具箱は図１に示されるようであり、この釣り具箱１は、収容箱１１、及び上蓋１２を具え、該収容箱１１内が、矩形、正方形、長方形格子状に区画された収容空間１３とされている。このような周知の製品に前述の釣り具、特に疑似餌を収納する時には多くの不便がある。市販されている疑似餌には魚の形状に形成されたものがあり、疑似餌のボディの前端、後端に針が設けられ、疑似餌には各種形状と大きさがあり、複数の同時に収容空間１３内に収容すると、使用者が出し入れする時に手指を傷つけたり、衣服を引っかけたりし、且つ複数の疑似餌を収容空間１３内に収容すると、疑似餌の前端、後端の針が磨損したり折れることがある。
【０００３】
【考案が解決しようとする課題】
このため、使用に便利な疑似餌箱が求められており、ゆえに、本考案の主要な目的は、一種の疑似餌箱を提供することにあり、それは疑似餌のフックを整然と位置決めでき、疑似餌の出し入れの便利性と実用性を増したものとする。
【０００４】
【課題を解決するための手段】
請求項１の考案は、疑似餌箱において、該疑似餌箱は、放置箱２、位置決めソフトパッド３及び上蓋４で組成され、
該放置箱２は、プラスチック材料を一体射出成形してなり、長方形の扁平な箱状を呈し、該放置箱２の上縁及び中央に、横向きに収容溝２１が設けられ、収容溝２１の下縁にストッパ板２２があり、該ストッパ板２２に均等に複数の位置決め溝２３が配設され、該放置箱２内にあって、複数の下向きに凹んだ収容凹溝２４が均等に配設され、該収容凹溝２４の一端は円弧状を呈し、且つ該収容凹溝２４の中央に縦向きに、位置決め溝２３に対応するように下向きに凹んだ位置決め溝２５が設けられ、該位置決め溝２５の末端に別に下向きに凹んで半円形を呈する凹溝２７が設けられ、さらに該収容凹溝２４の二側にそれぞれ凸縁２６が設けられ、
該位置決めソフトパッド３は、長条状を呈し、上縁に波形の円弧設計が設けられ、二つの円弧の中央に係合溝３１が設けられ、且つ該係合溝３１が前述の放置箱２の位置決め溝２３に対応するよう配置され、該位置決めソフトパッド３が放置箱２の収容溝２１内に結合固定され、
該上蓋４は長方形を呈し、放置箱２の上縁を被覆するよう結合され、こうして疑似餌箱が形成されたことを特徴とする、疑似餌箱としている。
【０００５】
【考案の実施の形態】
図２から図６に示されるように、本考案の疑似餌箱は、放置箱２、位置決めソフトパッド３及び上蓋４で組成されている。
【０００６】
該放置箱２は、プラスチック材料を一体射出成形してなり、長方形の扁平な箱状を呈し、該放置箱２の上縁及び中央に、横向きに収容溝２１が設けられ、収容溝２１の下縁にストッパ板２２があり、該ストッパ板２２に均等に複数の位置決め溝２３が配設されている。該放置箱２内にあって、複数の下向きに凹んだ収容凹溝２４が均等に配設され、該収容凹溝２４の一端は円弧状を呈し、且つ該収容凹溝２４の中央に縦向きに、位置決め溝２３に対応するように下向きに凹んだ位置決め溝２５が設けられ、該位置決め溝２５の末端に別に下向きに凹んで半円形を呈する凹溝２７が設けられ、さらに該収容凹溝２４の二側にそれぞれ凸縁２６が設けられている。
【０００７】
該位置決めソフトパッド３は、長条状を呈し、上縁に波形の円弧設計が設けられ、二つの円弧の中央に係合溝３１が設けられ、且つ該係合溝３１が前述の放置箱２の位置決め溝２３に対応するよう配置され、該位置決めソフトパッド３が放置箱２の収容溝２１内に結合固定される。
【０００８】
該上蓋４は長方形を呈し、放置箱２の上縁を被覆するよう結合される。こうして疑似餌箱が形成されている。
【０００９】
本考案の疑似餌箱は特に図７に示されるような疑似餌５の放置に供され、整然と疑似餌５を位置決めできる。該疑似餌５の底縁には水平支持棒５１があり、該水平支持棒５１の一端が下向きに折り曲げられてＵ形の固定リング５２とされ、該固定リング５２より上向きに傾斜支持棒５３が延伸され、該疑似餌５の上縁にフック５４があり、さらに、該水平支持棒５１の中央及び末端に長楕円状金属片５５が結合され、該疑似餌５のフック５４の外周に色彩の鮮明な撓み性装飾条５６が均等に配置されている。
【００１０】
本考案は前述の構造により、図２から図８を参照されたいが、疑似餌５が先に底縁の水平支持棒５１が放置箱２の位置決め溝２５内に挿入され、該疑似餌５の底縁の水平支持棒５１の一端の下向きに折り曲げられてＵ形を呈する固定リング５２が放置箱２の位置決め溝２５の末端の半円形を呈する凹溝２７内に挿入あれ、該疑似餌５の水平支持棒５１の中央及び末端に結合された長楕円状金属片５５は放置箱２の下向きに凹んだ収容溝２２４内に置かれる。さらに、疑似餌５上縁のフック５４は位置決めソフトパッド３の係合溝３１内に係合させられ、こうして整然と疑似餌が位置決めされ、疑似餌の出し入れに便利な実用性を達成している。
【００１１】
【考案の効果】
本考案の前述の構造は、確実に予期された作用と効果を達成する。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】周知の製品の構造表示図である。
【図２】本考案の斜視図である。
【図３】本考案の放置箱の斜視図である。
【図４】本考案の放置箱の斜視図である。
【図５】図３のＡ−Ａ断面図である。
【図６】図４のＢ−Ｂ断面図である。
【図７】本考案に収容される疑似餌の構造表示図である。
【図８】本考案の実施状態の参考図である。
【符号の説明】
１　放置箱　　　　　　　　　　　１１　収容箱
１２　上蓋　　　　　　　　　　　１３　収容空間
２　放置箱　　　　　　　　　　　２１　収容溝
２２　ストッパ板　　　　　　　　２３　位置決め溝
２４　収容凹溝　　　　　　　　　２５　位置決め溝
２６　凸縁　　　　　　　　　　　２７　凹溝
３　位置決めソフトパッド　　　　３１　係合溝
４　上蓋　　　　　　　　　　　　５　疑似餌
５１　水平支持棒　　　　　　　　５２　固定リング
５３　傾斜支持棒　　　　　　　　５４　フック
５５　金属片　　　　　　　　　　５６　撓み性装飾条
【図１】
0003098799.tif 000003
【図２】
0003098799.tif 000004
【図３】
0003098799.tif 000005
【図４】
0003098799.tif 000006
【図５】
0003098799.tif 000007
【図６】
0003098799.tif 000008
【図７】
0003098799.tif 000009
【図８】
0003098799.tif 000010